【手続補正書】
【提出日】平成26年3月24日(2014.3.24)
【手続補正１】
【補正対象書類名】特許請求の範囲
【補正対象項目名】全文
【補正方法】変更
【補正の内容】
【特許請求の範囲】
【請求項１】
第１通信端末及び第２通信端末とセッション接続処理をし前記第１通信端末及び前記第２通信端末の間の接続設定をする通信装置とネットワークを介して接続される制御装置であって、
前記通信装置に前記第１通信端末及び前記第２通信端末の情報を含む接続要求を送信するインタフェース部と、
前記第１通信端末及び前記第２通信端末の少なくともいずれかの発信履歴情報を格納するための記憶部と、
前記通信装置から前記接続要求に対する応答を受信すると、前記第１通信端末及び前記第２通信端末のうち発信元となる通信端末についての発信履歴情報を前記記憶部に登録する処理部とを有することを特徴とする制御装置。
【請求項２】
請求項１に記載の制御装置であって、
前記処理部は、前記発信履歴情報として、セッション情報、発信先アドレス、発信先名、発信元アドレス、発信日時のうち少なくともいずれか一つを登録することを特徴とする制御装置。
【請求項３】
請求項１または請求項２に記載の制御装置であって、
前記処理部は、発信先となる第１または第２の通信端末と前記通信装置とのセッション接続処理、または、前記発信先となる第１または第２の通信端末の呼出処理をトリガとして、前記発信先となる第１または第２の通信端末についての着信履歴情報を前記記憶部に登録することを特徴とする制御装置。
【請求項４】
請求項３に記載の制御装置であって、
前記処理部は、前記着信履歴情報として、セッション情報、発信元アドレス、発信元名、不在着信情報、着信日時のうち少なくともいずれか一つを登録することを特徴とする制御装置。
【請求項５】
請求項３または請求項４に記載の制御装置であって、
前記処理部は、前記セッション接続処理におけるＩＮＶＩＴＥメッセージの送信、または、呼出処理におけるＲｉｎｇｉｎｇメッセージの受信をトリガーとして、前記着信履歴情報を登録することを特徴とする制御装置。
【請求項６】
第１通信端末及び第２通信端末とセッション接続処理をし前記第１通信端末及び前記第２通信端末の間の接続設定をする通信装置とネットワークを介して接続される制御装置であって、
前記通信装置に前記第１通信端末及び前記第２通信端末の情報を含む接続要求を送信するインタフェース部と、
前記第１通信端末及び前記第２通信端末の少なくともいずれかの着信履歴情報を格納するための記憶部と、
発信先となる第１または第２の通信端末と前記通信装置とのセッション接続処理、または、前記発信先となる第１または第２の通信端末の呼出処理をトリガとして、前記発信先となる第１または第２の通信端末についての着信履歴情報を前記記憶部に登録する処理部とを有することを特徴とする制御装置。
【請求項７】
請求項６に記載の制御装置であって、
前記処理部は、前記着信履歴情報として、セッション情報、発信元アドレス、発信元名、不在着信情報、着信日時のうち少なくともいずれか一つを登録することを特徴とする制御装置。
【請求項８】
請求項６または請求項７に記載の制御装置であって、
前記処理部は、前記セッション接続処理におけるＩＮＶＩＴＥメッセージの送信、または、前記呼出処理におけるＲｉｎｇｉｎｇメッセージの受信をトリガーとして、前記着信履歴情報を登録することを特徴とする制御装置。
【請求項９】
請求項６から請求項８のいずれかに記載の制御装置であって、
前記処理部は、前記通信装置から前記接続要求に対する応答を受信すると、前記第１通信端末及び前記第２通信端末のうち発信元となる通信端末についての発信履歴情報を前記記憶部に登録することを特徴とする制御装置。
【請求項１０】
請求項９に記載の制御装置であって、
前記処理部は、前記発信履歴情報として、セッション情報、発信先アドレス、発信先名、発信元アドレス、発信日時のうち少なくともいずれか一つを登録することを特徴とする制御装置。
【請求項１１】
第１通信端末及び第２通信端末とセッション接続処理をし前記第１通信端末及び前記第２通信端末の間の接続設定をする通信装置と、前記通信装置とネットワークを介して接続され前記第１通信端末及び前記第２通信端末の少なくともいずれかの発信履歴情報を格納するための記憶部を有する制御装置とを含む通信システムにおける通信履歴管理方法であって、
前記制御装置から前記通信装置へ、前記第１通信端末及び前記第２通信端末の情報を含む接続要求を送信する第１のステップと、
前記通信装置から前記接続要求に対する応答を受信すると、前記第１通信端末及び前記第２通信端末のうち発信元となる通信端末についての発信履歴情報を前記記憶部に登録する第２のステップとを有することを特徴とする通信履歴管理方法。
【請求項１２】
請求項１１に記載の通信履歴管理方法であって、
前記第２のステップでは、前記発信履歴情報として、セッション情報、発信先アドレス、発信先名、発信元アドレス、発信日時のうち少なくともいずれか一つを登録することを特徴とする通信履歴管理方法。
【請求項１３】
請求項１１または請求項１２に記載の通信履歴管理方法であって、
発信先となる第１または第２の通信端末と前記通信装置とのセッション接続処理、または、前記発信先となる第１または第２の通信端末の呼出処理をトリガとして、前記発信先となる第１または第２の通信端末についての着信履歴情報を前記記憶部に登録する第３のステップを有することを特徴とする通信履歴管理方法。
【請求項１４】
請求項１３に記載の通信履歴管理方法であって、
前記第３のステップでは、前記着信履歴情報として、セッション情報、発信元アドレス、発信元名、不在着信情報、着信日時のうち少なくともいずれか一つを登録することを特徴とする通信履歴管理方法。
【請求項１５】
請求項１３または請求項１４に記載の通信履歴管理方法であって、
前記第３のステップは、前記セッション接続処理におけるＩＮＶＩＴＥメッセージの送信、または、呼出処理におけるＲｉｎｇｉｎｇメッセージの受信をトリガーとして、前記着信履歴情報を登録することを特徴とする通信履歴管理方法。
【請求項１６】
第１通信端末及び第２通信端末とセッション接続処理をし前記第１通信端末及び前記第２通信端末の間の接続設定をする通信装置と、前記通信装置とネットワークを介して接続され前記第１通信端末及び前記第２通信端末の少なくともいずれかの着信履歴情報を格納するための記憶部を有する制御装置とを含む通信システムにおける通信履歴管理方法であって、
前記制御装置から前記通信装置へ、前記第１通信端末及び前記第２通信端末の情報を含む接続要求を送信する第１のステップと、
発信先となる第１または第２の通信端末と前記通信装置とのセッション接続処理、または、前記発信先となる第１または第２の通信端末の呼出処理をトリガとして、前記発信先となる第１または第２の通信端末についての着信履歴情報を前記記憶部に登録する第２のステップとを有することを特徴とする通信履歴管理方法。
【請求項１７】
請求項１６記載の通信履歴管理方法であって、
前記第２のステップでは、前記着信履歴情報として、セッション情報、発信元アドレス、発信元名、不在着信情報、着信日時のうち少なくともいずれか一つを登録することを特徴とする通信履歴管理方法。
【請求項１８】
請求項１６または請求項１７に記載の通信履歴管理方法であって、
前記第２のステップでは、前記セッション接続処理におけるＩＮＶＩＴＥメッセージの送信、または、前記呼出処理におけるＲｉｎｇｉｎｇメッセージの受信をトリガーとして、前記着信履歴情報を登録することを特徴とする通信履歴管理方法。
【請求項１９】
請求項１６から請求項１８のいずれかに記載の通信履歴管理方法であって、
前記通信装置から前記接続要求に対する応答を受信すると、前記第１通信端末及び前記第２通信端末のうち発信元となる通信端末についての発信履歴情報を前記記憶部に登録する第３のステップを有することを特徴とする通信履歴管理方法。
【請求項２０】
請求項１９に記載の通信履歴管理方法であって、
前記第３のステップでは、前記発信履歴情報として、セッション情報、発信先アドレス、発信先名、発信元アドレス、発信日時のうち少なくともいずれか一つを登録することを特徴とする通信履歴管理方法。